(57)【要約】【課題】本発明は、メダル収納容器を収納するメダル排出部の後方に排出シュートを設けたメダル通路切替装置を提供することを課題とする。【解決手段】本発明のメダル通路切替装置は、メダル回収研磨装置のメダル排出部において、上部に設けられた上部軸と下方に設けられた下部軸とを有する排出シュートと、筐体の両側面に設けられた該上部軸を支持する上部支持穴及び、該下部軸を支持し滑動させる下部案内溝と、から構成されたことを特徴とするものである。【選択図】図１
2006271686.tif 000002
【特許請求の範囲】
【請求項１】
メダル回収研磨装置のメダル排出部に設けたメダル通路切替装置において、上部に設けられた上部軸と下方に設けられた下部軸とを有する排出シュートと、筐体の両側面に設けられた該上部軸を支持する上部支持穴、及び該下部軸を支持し滑動させる下部案内溝と、
から構成されたことを特徴とするメダル通路切替装置。
【請求項２】
前記上部支持穴を支点として、下部案内溝は一部を円弧状とし、排出シュートは、メダル収納容器を収納するメダル排出部の後方に設けられるように構成された、ことを特徴とする請求項１に記載のメダル通路切替装置。
【発明の詳細な説明】
【技術分野】
【０００１】
本発明は、メダル回収研磨装置のメダル排出部におけるメダル通路切替装置に関する。例えば、遊技機で使用される遊技用メダルを回収し研磨し排出するメダル回収研磨装置の一部を構成するメダル通路切替装置に関する。
【背景技術】
【０００２】
従来、遊技場の店員が遊技用メダルを遊技機及びメダル貸機に補給するために利用するメダル回収研磨装置のメダル排出部は一回の払出操作によって、メダル補給用容器に所定量のメダルを払出すように構成されているものとして、特許文献１に示すものがある。
【０００３】
また、特許文献１に記載の発明には、「通常は、払い出したメダルがメダル払出部に貯まるように構成されているメダル払出装置において、前記メダル払出部に着脱自在に装着可能で、装着した際には、払い出されるメダルを入口側から受け入れて、そのメダルを前記メダル払出部から離れた位置にある出口側へと滑落させる着脱式シュートと、前記着脱式シュートが装着されているか否かを検知可能なシュート検知手段と、該シュート検知手段による検知結果に応じて、前記着脱式シュートが装着されていない場合には、メダルの払い出し開始から経過した時間があらかじめ定められた時間を超えたら、メダル払い出しを停止する一方、前記着脱式シュートが装着されている場合には、メダルの払い出し開始から経過した時間によらず、メダルの払い出しを継続する払出制御手段とを備えたことを特徴とする。」と記載されている。
【０００４】
このように、特許文献１のメダル払出装置は、排出シュートが着脱式のためにメダルの補給が必要なとき着脱式の払出シュートを都度セットする必要がある。
また、取外した払出シュートは別途離れた場所に保管されている場合などは、一々取りに行くのが面倒でタイムリーに作業が行なえない、等が問題となっていた。
【０００５】
【特許文献１】特開２０００−３０８７５４号公報（第２頁、右欄２１〜３５行目、及び、図７）
【発明の開示】
【発明が解決しようとする課題】
【０００６】
そこで、本発明は上記に鑑みてなされたもので、その課題は、メダル収納容器を収納するメダル排出部の後方に排出シュートを設けられる、メダル通路切替装置を提供することである。
【課題を解決するための手段】
【０００７】
上記目的を達成するために、本発明のメダル通路切替装置においては、下記のような手段を取った。
【０００８】
請求項１に記載の本発明は、メダル回収研磨装置のメダル排出部に設けたメダル通路切替装置において、上部に設けられた上部軸と下方に設けられた下部軸とを有する排出シュートと、筐体の両側面に設けられた該上部軸を支持する上部支持穴、及び該下部軸を支持し滑動させる下部案内溝と、から構成されたことを特徴とする。
【０００９】
請求項２に記載の本発明は、前記上部支持穴を支点として、下部案内溝は一部を円弧状とし、排出シュートは、メダル収納容器を収納するメダル排出部の後方に設けられるように構成された、ことを特徴とする請求項１に記載のメダル通路切替装置である。
【００１０】
これは、メダル排出部に設けた収納式の排出シュートを、上部支持穴及び下部案内溝により簡単に排出シュートを引き出したり収納したりする、ことができるようになったことである。
【発明の効果】
【００１１】
本発明のメダル通路切替装置は、以上の説明から、以下に記載されるような効果を奏する。すなわち、
１．メダル排出部に排出シュートを有するメダル通路切替装置を設けたことにより、メダル補給の都度に排出シュートを有するメダル通路切替装置を探してセットする手間がなくなり、タイムリーに作業が行える。
２．構成部品点数少により着脱式よりもコストダウンが図れる。
３．メダル収納容器を収納するメダル排出部の後方に排出シュートを設けることにより、別途離れた場所に保管されている排出シュートを有するメダル通路切替装置を、取りに行く手間が省け、タイムリーに作業が行える。
【発明を実施するための最良の形態】
【００１２】
以下に、本発明の実施をするための最良の形態を図面に基づいて説明する。
【００１３】
図１は、本発明のメダル通路切替装置の排出シュートを外部へ排出状態のときの一実施例であり、（ａ）は正面図、（ｂ）は側面図、である。図２は、本発明のメダル通路切替装置の排出シュートを収納したときの一実施例であり、（ａ）は正面図、（ｂ）は側面図である。図３は、本発明のメダル通路切替装置を備えたメダル回収研磨装置の外観図である。
【００１４】
また、図４は、本発明のメダル通路切替装置が組み込まれるメダル回収研磨装置の斜視図である。図５は、排出シュートを使用したときのメダル排出の具体的な処理手順を説明するフローチャートである。図６は、排出シュートを使用しないときのメダル排出の具体的な処理手順を説明するフローチャートである。
【００１５】
次に、図１及び図２により、本発明の一実施例のメダル通路切替装置について、その基本構成を説明する。図示するように、本発明のメダル通路切替装置１は、上部に設けられた上部軸２１と下方に設けられた下部軸２２とを有する排出シュート２と、筐体１１の両側面に設けられた該上部軸２１を支持し滑動させる上部支持穴１２，１２及び該下部軸２２を支持し滑動させる下部案内溝１３、１３と、該排出シュート２が外部へ排出状態のときに検知するマイクロスイッチ３と、から構成されている。
【００１６】
また、本発明のメダル通路切替装置１は、上部支持穴１２は縦長であり、下部案内溝１３は一部を円弧状とし、排出シュート２を筐体１１内に設けられたメダル収納容器１５を収納するメダル排出部１４の後方に設けられるように構成された、ことを特徴とするものである。
【００１７】
次に、各構成部材について説明する。まず、筐体１１には、上方を開放した円筒形の容器であるメダル収納容器１５を収納するメダル排出部１４があり、当該メダル排出部１４の両側面（すなわち、筐体１１の両側面）には、上下方向に縦長の上部支持穴１２、１２が設けられ、当該上部支持穴１２，１２の下方には、一部円弧状の下部案内溝１３、１３が設けられ、当該下部案内溝１３，１３の一方端は下方に抉った（若しくは、切り込んだ）固定溝１３１、１３１（図１（ｂ）及び図２（ｂ）の右側の溝）を設け、他方端は斜め左下方向（図１（ｂ）及び図２（ｂ）の左側の溝）に抉った（若しくは、切り込んだ）固定溝１３２、１３２を設けている。
【００１８】
次に、排出シュート２について説明する。当該排出シュート２は、上方を開放した凹型の滑り台形状であり、底面部２３と当該底面部２３の両端部に上部側面部２３１、２３１を形成し、該上部側面部２３１、２３１は、下方へ延長し下部側面部２３２、２３２としている。当該下部側面部２３２，２３２には、上部軸２１、下部軸２２を軸支している。
【００１９】
次に、マイクロスイッチ３について説明する。当該マイクロスイッチ３は、メダル排出部１４の奥側の背面（図１（ｂ）の右側）に取り付けられている。前記排出シュート２が外部へ排出状態のときに、マイクロスイッチ３が検知し、当該排出シュート２が外部へ排出状態であることをスイッチボタン４に知らせる。完全に排出シュート２が外部へ排出状態で、マイクロスイッチ３に連動したメダル排出ボタン４を押すと、図１（ｂ）の右側より矢印方向にメダルが落下し、当該メダルは排出シュート２を矢印に沿って斜め左下方へ滑り降りて左側の外部へ排出される。勿論、メダル落下点には、メダル収納の箱を事前に準備する必要がある。
【００２０】
通常は、上方を開放した円筒形の容器であるメダル収納容器１５を収納するメダル排出部１４には、当該メダル収納容器１５が収納されている。しかるに、遊技場の閉店後、大量のメダルを取り出すときには、当該発明の排出シュート２を使用する。尚、遊技用メダルは、一般に、直径φ２５ｍｍ、φ３０ｍｍのものが使用されている。
【００２１】
前記をまとめると、メダル通路切替装置１は、筐体１１の両側面に設けられた上部支持穴１２，１２及び下部案内溝１３，１３に支持された排出シュート２を取付けている。そして、当該排出シュート２は、図２（ｂ）に示すように、通常は、筐体１１の奥側（図２（ｂ）の右側）に収納されている。すなわち、排出シュート２は、その下部軸２２が筐体１１に設けられた固定溝１３１，１３１に掛止しているので、筐体１１に固定されている。遊技用メダルを大量に必要とするときには、排出シュート２を手前（図１（ｂ）に示す左手）側へ手動で引き出す。すなわち、排出シュート２の適切な位置に手を掛けて（換言すると、手動で）、下部軸２２と固定溝１３１，１３１との掛止を外して、下部軸２２を下部案内溝１３に沿って滑らせると、上部軸２１は、上部支持穴１２を滑って下方へ移動する。
【００２２】
そして、排出シュート２に軸支された上部軸２１及び下部軸２２は、筐体１１の上部支持穴１２，１２及び下部案内溝１３，１３に支持されながら滑動して、排出シュート２は手前側へ引き出される。そして、下部軸２２は、固定溝１３２、１３２に掛止する。そうすると、マイクロスイッチ３が感知してメダル排出ボタン４に排出シュート２が引き出されたことを知らせる。メダル排出ボタン４を押すと、タイマーにより制御されて一定量のメダルが排出される。
【００２３】
次に、図３及び図４により、メダル通路切替装置を組み込んだメダル回収研磨装置について説明する。一般的なメダル回収研磨装置の構造は、特許文献１にも記載されているが、簡単に説明すると、図示するように、当該メダル通路切替装置１は、メダル回収研磨装置５の側面に組み込まれている。図３では、扉５１を開放した状態であり、メダル通路切替装置１を使用状態とした図面である。当該メダル回収研磨装置５の背面５２には、メダル回収口５２１が設けられ、該メダル回収口５２１に投入されたメダルは下部に設けられた研磨機５３内で研磨され、該研磨されたメダルは背面５２側に設けられた揚送装置５４により、上部へ揚送され上部タンク５５に貯められる。当該上部タンク５５に貯められたメダルは、必要によりメダル通路切替装置１に送られてくる。
【００２４】
尚、当然のことであるが、前記研磨機５３、揚送装置５４、上部タンク５５、等のメダル回収研磨装置５に必要な装置、機器類は、当該メダル回収研磨装置５の内部に組み込まれている。また、メダル通路切替装置１に送られたメダルは、前記で説明したように、排出シュート２により外部へ排出される。若しくは、排出シュート２を使用しないときはメダル排出部１４にメダル収納容器１５を設置し必要量をメダル収納容器１５に収納する。
【００２５】
次に、図５により、排出シュートを使用したときの具体的な処理手順を説明する。図示するように、メダル回収研磨装置５の扉５１を開放する（すなわち、開ける）（ステップＳ１０１、以下ステップを省略する）。次に、手動で排出シュート２を引き出す（Ｓ１０２）。そうすると、マイクロスイッチ３が感知する（Ｓ１０３）。そして、メダル排出ボタン４を押す（Ｓ１０４）と、タイマーにより制御されて一定量のメダルが排出される（Ｓ１０５）。これは、遊技店が閉店後、大量のメダルを排出するときの具体的な処理手順である。
【００２６】
次に、図６により、排出シュートを使用しないときの具体的な処理手順を説明する。すなわち、排出シュート２は、図２に示すように収納された（押し込まれた）状態である。図示するように、メダル回収研磨装置５の扉５１を開放する（すなわち、開ける）（Ｓ２０１）。次に、メダル排出部１４にメダル収納容器１５をセットする（Ｓ２０２）。そして、メダル排出ボタン４を押す（Ｓ２０３）と、一定量のメダルが排出される（Ｓ２０４）。これは、遊技店が開店中に、一定量のメダルを排出するときの具体的な処理手順である。
【００２７】
以上の説明は、開示された実施の形態のすべての点で例示であり制限的なものではない。従って、本発明の範囲は、上記の説明に限定されたものではなく、特許請求の範囲によって示されるものであり、特許請求の範囲と均等の意味及び範囲内のすべての変更が含まれることが意図されている。
【産業上の利用可能性】
【００２８】
本発明は、遊技メダルを使用する遊技機から回収されたメダルを研磨するためのメダル回収研磨装置の一部を構成するメダル通路切替装置として適用できる。
【図面の簡単な説明】
【００２９】
【図１】図１は、本発明のメダル通路切替装置の排出シュートを外部へ排出状態のときの一実施例であり、（ａ）は正面図、（ｂ）は側面図である。
【図２】図２は、本発明のメダル通路切替装置の排出シュートを収納したときの一実施例であり、（ａ）は正面図、（ｂ）は側面図である。
【図３】図３は、本発明のメダル通路切替装置を組み込んだメダル回収研磨装置の外観図である。
【図４】図４は、本発明のメダル通路切替装置が組み込まれるメダル回収研磨装置の斜視図である。
【図５】図５は、排出シュートを使用したときのメダル排出の具体的な処理手順を説明するフローチャートである。
【図６】図６は、排出シュートを使用しないときのメダル排出の具体的な処理手順を説明するフローチャートである。
【符号の説明】
【００３０】
１  メダル通路切替装置
１１  筐体      １２、１２  上部支持穴
１３、１３  下部案内溝      １３１、１３１  固定溝
１３２、１３２  固定溝      １４  メダル排出部      １５  メダル収納容器
２  排出シュート
２１  上部軸      ２２  下部軸      ２３  底面部
２３１、２３１  上部側面部      ２３２，２３２  下部側面部
３  マイクロスイッチ
４  メダル排出ボタン
５  メダル回収研磨装置
５１  扉      ５２  背面      ５２１  メダル回収口
５３  研磨機      ５４  揚送装置      ５５  上部タンク
【図１】
2006271686.tif 000003
【図２】
2006271686.tif 000004
【図３】
2006271686.tif 000005
【図４】
2006271686.tif 000006
【図５】
2006271686.tif 000007
【図６】
2006271686.tif 000008